(57)【要約】【課題】電気光学装置において好適に中間階調を表示させる。【解決手段】電気光学装置（１）の制御方法は、画素（２０）を第１の中間光学状態に移行させる際の制御工程が、画素電極（２１）に対して、第１の極限光学状態に至るまで、第１の電圧パルス（−ＶＳＨ）を供給する第１制御工程（フェーズＡ）と、第１制御工程の後、画素電極に対して、第１の中間光学状態又は第１の中間光学状態よりも第２の極限光学状態に近い中間光学状態に至るまで、第１の電圧パルスと逆極性の第２の電圧パルス（ＶＳＨ）を供給する第２制御工程（フェーズＢ）と、第２制御工程の後、画素が第１の中間光学状態よりも第２の極限光学状態に近い中間光学状態である場合、画素電極に対して、第１の中間光学状態に至るまで、第１の電圧パルスと同極性の第３のパルス（−ＶＳＨ）を供給する第３制御工程（フェーズＣ）とを含む。【選択図】図１０
2013171143.tif 000002
【特許請求の範囲】
【請求項１】
互いに交差する複数の走査線及び複数のデータ線の交差に対応して設けられ、互いに対向する画素電極及び対向電極間に電気光学物質を夫々有する複数の画素を有し、前記画素は、第１の極限光学状態、第２の極限光学状態、並びに前記第１の極限光学状態及び前記第２の極限光学状態間の複数の中間光学状態をとり得る表示部と、該表示部に画像データに応じた画像を表示させるために、前記複数の画素の各々の前記画素電極に前記画像データに応じた電圧パルスを複数のフレーム期間において供給する駆動部とを備えた電気光学装置を制御する制御方法であって、
前記画素を第１の中間光学状態に移行させる際の制御工程が、
前記画素電極に対して、前記第１の極限光学状態に至るまで、第１の電圧パルスを供給する第１制御工程と、
前記第１制御工程の後、前記画素電極に対して、前記第１の中間光学状態又は前記第１の中間光学状態よりも前記第２の極限光学状態に近い中間光学状態に至るまで、前記第１の電圧パルスと逆極性の第２の電圧パルスを供給する第２制御工程と、
前記第２制御工程の後、前記画素が前記第１の中間光学状態よりも前記第２の極限光学状態に近い中間光学状態である場合、前記画素電極に対して、前記第１の中間光学状態に至るまで、前記第１の電圧パルスと同極性の第３のパルスを供給する第３制御工程と
を含むことを特徴とする電気光学装置の制御方法。
【請求項２】
前記第１の中間光学状態は、前記第２の極限光学状態よりも前記第１の極限光学状態に近い光学状態であることを特徴とする請求項１に記載の電気光学装置の制御方法。
【請求項３】
前記第１の中間光学状態は、前記第１の極限光学状態よりも前記第２の極限光学状態に近い光学状態であることを特徴とする請求項１に記載の電気光学装置の制御方法。
【請求項４】
互いに交差する複数の走査線及び複数のデータ線の交差に対応して設けられ、互いに対向する画素電極及び対向電極間に電気光学物質を夫々有する複数の画素を有し、前記画素は、第１の極限光学状態、第２の極限光学状態、並びに前記第１の極限光学状態及び前記第２の極限光学状態間の複数の中間光学状態をとり得る表示部と、該表示部に画像データに応じた画像を表示させるために、前記複数の画素の各々の前記画素電極に前記画像データに応じた電圧パルスを複数のフレーム期間において供給する駆動部とを備えた電気光学装置を制御する制御装置であって、
前記画素を第１の中間光学状態に移行させる際に、
前記画素電極に対して、前記第１の極限光学状態に至るまで、第１の電圧パルスを供給する第１制御手段と、
前記第１制御手段によって前記第１の電圧パルスが供給された後、前記画素電極に対して、前記第１の中間光学状態又は前記第１の中間光学状態よりも前記第２の極限光学状態に近い中間光学状態に至るまで、前記第１の電圧パルスと逆極性の第２の電圧パルスを供給する第２制御手段と、
前記第２制御手段によって前記第２の電圧パルスが供給された後、前記画素が前記第１の中間光学状態よりも前記第２の極限光学状態に近い中間光学状態である場合、前記画素電極に対して、前記第１の中間光学状態に至るまで、前記第１の電圧パルスと同極性の第３のパルスを供給する第３制御手段と
を備えることを特徴とする電気光学装置の制御装置。
【請求項５】
請求項４に記載の電気光学装置の制御装置を備えることを特徴とする電気光学装置。
【請求項６】
請求項５に記載の電気光学装置を備えることを特徴とする電子機器。
【発明の詳細な説明】
【技術分野】
【０００１】
本発明は、例えば電気泳動表示装置等の電気光学装置の制御方法、電気光学装置の制御装置、電気光学装置、及び電子機器の技術分野に関する。
【背景技術】
【０００２】
この種の電気光学装置の一例として、電気泳動粒子を含む電気泳動素子を挟んで対向する画素電極及び対向電極間に電圧を印加して、例えば黒色粒子及び白色粒子等の電気泳動粒子を移動させることで表示部に画像を表示する電気泳動表示装置がある。電気泳動素子は、例えば、複数の電気泳動粒子を夫々含む複数のマイクロカプセルから構成され、画素電極及び対向電極間に、樹脂等からなる接着剤によって固定される。なお、対向電極は、共通電極と呼ばれることもある。
【０００３】
このような電気泳動表示装置では、例えば表示面側に白色粒子を移動させるような電圧を印加することで白色を表示でき、表示面側に黒色粒子を移動させるような電圧を印加することで黒色を表示できる。また、上述した白色及び黒色に対応する各電圧が印加される期間を調整することで、白色及び黒色の中間階調（即ち、灰色）を表示することが可能とされている（例えば、特許文献１から３参照）。
【先行技術文献】
【特許文献】
【０００４】
【特許文献１】米国特許出願公開第２００５／０００１８１２号明細書
【特許文献２】米国特許出願公開第２００５／０２８０６２６号明細書
【特許文献３】国際公開２００５／１０１３６３号公報
【発明の概要】
【発明が解決しようとする課題】
【０００５】
中間階調を表示させる際には、白色及び黒色が表示される際の中間位置に各粒子を移動させればよい。ただし、このような制御は容易ではなく、例えば各粒子の位置にばらつきが生じてしまうことで、表示される階調にもばらつきが生じるおそれがある。特に、複数の中間階調を表示させるような場合には、表示画像に与える上述したばらつきの影響は大きい。
【０００６】
これに対し、例えばライトグレー（即ち、白に近い灰色）からダークグレー（即ち、黒に近い灰色）に階調を変化させる場合には、ライトグレーを表示している状態から一旦白色又は黒色を表示する位置に各粒子を移動させ、その後にダークグレーを表示する位置へと各粒子を移動させるようにすれば、画素毎の粒子の位置を揃えることができ好適に中間階調を表示させることができる。
【０００７】
しかしながら、本発明者の研究するところによれば、白色又は黒色を表示している状態から他の階調へと階調を変化させる場合、電圧が印加される期間に対する階調の変化率は一定とはならないことが判明している。具体的には、書き換え開始直後の階調変化は大きいが、反対階調に近づくにつれて階調変化は小さくなっていく傾向にある。
【０００８】
このため、例えば白色を表示させた状態から白色に近い灰色を表示させようとする場合、１パルス分の電圧を印加しただけでも、表示すべき灰色より黒色に近い灰色が表示されてしまうおそれがある。即ち、書き換え直後の階調の変化率が大き過ぎるため、書き換え開始の階調に近い中間階調を表示させることが非常に難しい。
【０００９】
以上のように、上述した各特許文献を含む従来技術は、階調の変化率が一定でないが故に、所望の中間階調を表示させることが困難であるという技術的問題点を有している。
【００１０】
本発明は、例えば前述した問題点に鑑みなされたものであり、好適に中間階調を表示させることが可能な電気光学装置の制御方法、電気光学装置の制御装置、電気光学装置、及び電子機器を提供することを課題とする。
【課題を解決するための手段】
【００１１】
本発明に係る電気光学装置の制御方法は上記課題を解決するために、互いに交差する複数の走査線及び複数のデータ線の交差に対応して設けられ、互いに対向する画素電極及び対向電極間に電気光学物質を夫々有する複数の画素を有し、前記画素は、第１の極限光学状態、第２の極限光学状態、並びに前記第１の極限光学状態及び前記第２の極限光学状態間の複数の中間光学状態をとり得る表示部と、該表示部に画像データに応じた画像を表示させるために、前記複数の画素の各々の前記画素電極に前記画像データに応じた電圧パルスを複数のフレーム期間において供給する駆動部とを備えた電気光学装置を制御する制御方法であって、前記画素を第１の中間光学状態に移行させる際の制御工程が、前記画素電極に対して、前記第１の極限光学状態に至るまで、第１の電圧パルスを供給する第１制御工程と、前記第１制御工程の後、前記画素電極に対して、前記第１の中間光学状態又は前記第１の中間光学状態よりも前記第２の極限光学状態に近い中間光学状態に至るまで、前記第１の電圧パルスと逆極性の第２の電圧パルスを供給する第２制御工程と、前記第２制御工程の後、前記画素が前記第１の中間光学状態よりも前記第２の極限光学状態に近い中間光学状態である場合、前記画素電極に対して、前記第１の中間光学状態に至るまで、前記第１の電圧パルスと同極性の第３のパルスを供給する第３制御工程とを含む。
【００１２】
本発明に係る電気光学装置の制御方法によって制御される電気光学装置は、複数の走査線と複数のデータ線との交差に対応してマトリクス状に配列された複数の画素を有する表示部を備えている。表示部は、互いに対向する画素電極及び対向電極間に電気光学物質を夫々有している。また、表示部における複数の画素は、第１の極限光学状態、第２の極限光学状態、並びに前記第１の極限光学状態及び前記第２の極限光学状態間の複数の中間光学状態をとることが可能とされている。
【００１３】
ここで「極限光学状態」とは、表示部における電気光学物質に対して所定の電圧を十分に印加することで実現される光学状態である。ただし、本発明に係る「極限光学状態」は、それ以上所定の電圧を印加しても光学状態が全く変化しない状態を意味するだけでなく、例えば複数の画素が同時に極限光学状態となることで、後述する画素間での光学状態のばらつきを低減できる程度に各画素の光学状態を揃えることが可能な光学状態を含む広い概念である。具体的には、例えば電気光学物質が白色の粒子及び黒色の粒子を含む電気泳動素子として構成される場合において、白色の粒子が表示面側に十分に引き寄せられることで表示される白色や、黒色の粒子が表示面側に十分に引き寄せられることで表示される黒色を表示する際の光学状態が、本発明に係る「極限光学状態」に該当する。
【００１４】
また「中間光学状態」とは、第１の極限光学状態と第２の極限光学状態との中間の光学状態を意味しており、例えば上述した白色及び黒色を表示する際の光学状態を極限光学状態とする場合には、灰色を表示する際の光学状態が該当する。「中間光学状態」は、例えば第１の極限光学状態へと光学状態を変化させるための電圧又は第２の極限光学状態へと光学状態を変化させるための電圧を印加する期間を調整することで実現される。より具体的には、例えば電気泳動素子に含まれる白色の粒子及び黒色の粒子の位置を、白色及び黒色を表示させる場合の中間の位置に移動させることで中間光学状態である灰色を表示することができる。
【００１５】
なお、本発明に係る表示部では、例えば淡い灰色や濃い灰色等のように、複数の中間光学状態を各画素がとり得る。このような複数の中間光学状態は、画素電極及び対向電極間における各粒子の位置を調整することで表示することができる。具体的には、白色の粒子を表示面側に比較的近い中間位置とする（或いは、黒色粒子を表示面側から比較的遠い中間位置とする）ことで淡い灰色を表示することができ、白色の粒子を表示面側に比較的遠い中間位置とする（或いは、黒色粒子を表示面側から比較的近い中間位置とする）ことで濃い灰色を表示することができる。
【００１６】
上述した表示部は、駆動部によって、画像データに応じた画像を表示するよう制御される。具体的には、本発明に係る電気光学装置の動作時には、駆動部によって、複数の画素の各々の画素電極に画像データに応じた電圧パルスが供給される。これにより、各画素に画像データに応じた電圧が印加され、表示部では画像データに応じた画像が表示される。
【００１７】
なお、駆動部による各画素への電圧パルスの供給は、複数のフレーム期間に渡って行われる。言い換えれば、表示部の画素に対する電圧の印加は、フレーム期間単位で複数回行われる。具体的には、一のフレーム期間中に、複数の走査線が所定の順番で１回ずつ選択されるとともに、該選択した走査線に対応する画素における画素電極に電圧パルスが複数のデータ線を介して供給される。なお、ここでの「フレーム期間」とは、複数の走査線を所定の順番で１回ずつ選択する期間として予め定められた期間である。つまり、連続する複数のフレーム期間の各々において、複数の画素の各々における画素電極に電圧パルスを供給する制御が１回ずつ行われることにより、表示部に画像データに応じた画像が表示される。
【００１８】
本発明に係る電気光学装置の制御方法によれば、画素を第１の中間光学状態へと移行させる場合に、第１制御工程、第２制御工程及び第３制御工程が順次行われる。なお、ここでの「第１の中間光学状態」とは、画像の書き換えにおいて目標とされる中間光学状態であり、表示部の画素がとり得る複数の中間光学状態のうちいずれかの光学状態として設定される。
【００１９】
第１制御工程では、表示部における第１の中間光学状態をとるべき画素（以下、適宜「書き換え画素」と称する）に対して、第１の極限光学状態（例えば、白色）に対応する電圧（例えば、−１５Ｖ）が印加される。これにより、書き換え画素は第１の極限光学状態となる。このように、書き換え画素を第１の中間光学状態とする前に、一旦極限光学状態とすることで、複数の画素における光学状態を揃えることができる。具体的には、例えば電気泳動素子に含まれる各粒子の位置を揃えることができる。よって、書き換え画素を中間光学状態へと移行させる場合に、複数の画素間で光学状態にばらつきが生じることに起因して、表示される画像にノイズ等が生じることを防止することができる。なお、書き換え前の光学状態が既に第１の極限光学状態である場合には、第１制御工程を省略することもできる。
【００２０】
第２制御工程では、書き換え画素に対して第２の極限光学状態（例えば、黒色）に対応する電圧（例えば、＋１５Ｖ）が印加される。即ち、第２制御工程では、第１制御工程とは逆極性の電圧が印加される。これにより、書き換え画素における光学状態は、第１の中間光学状態へと近づけられる。ここで特に、第２制御工程後の書き換え画素の光学状態は、第１の中間光学状態又は第１の中間光学状態よりも第２の極限光学状態に近い光学状態とされる。言い換えれば、第２制御工程後の書き換え画素の光学状態は、第１の中間光学状態よりも第１の極限光学状態に近い光学状態とはされない。なお、第２制御工程によって、書き換え画素の光学状態が第１の中間光学状態になった場合には、後述する第３制御工程を省略することができる。
【００２１】
第３制御工程では、第１の中間光学状態よりも第２の極限光学状態に近い光学状態となった書き換え画素に対して、再び第１の極限光学状態に対応する電圧が印加される。これにより、書き換え画素の光学状態は第１の極限光学状態に近づけられる。即ち、第１の中間光学状態へと近づけられる。なお、第３制御工程において印加される電圧は、第１制御工程で印加される電圧と同一の値であってもよいし、異なる値であってもよい。即ち、第１制御工程で印加される電圧と第３制御工程で印加される電圧は、同極性でありさえすれば、互いに異なる値であっても構わない。
【００２２】
ここで特に、本発明者の研究するところによれば、第１の極限光学状態から他の光学状態へと光学状態を変化させる場合、電圧が印加される期間に対する光学状態の変化率は常に一定とはならないことが判明している。具体的には、第１の極限光学状態から第２の極限光学状態方向への書き換え開始直後の光学状態の変化は大きいが、第２の極限光学状態に近づくにつれて光学状態の変化は小さくなっていく傾向にある。なお、このような特性は第２の極限光学状態からの書き換えに対しても同様であり、第２の極限光学状態から第１の極限光学状態方向への書き換え開始直後の光学状態の変化は大きいが、第１の極限光学状態に近づくにつれて光学状態の変化は小さくなっていく傾向にある。
【００２３】
このため、例えば白色を表示させた状態から白色に近い淡い灰色を表示させようとする場合、１フレーム期間だけ電圧を印加しただけでも、表示すべき灰色より黒色に近い灰色が表示されてしまうおそれがある。即ち、書き換え開始直後の光学状態の変化率が大き過ぎるため、書き換え開始の光学状態に近い中間光学状態を表示させることが非常に難しくなるという事態が発生し得る。
【００２４】
しかるに本発明では特に、上述したように、第１制御工程後における第１の極限光学状態から第１の中間光学状態への書き換えが、第２制御工程及び第３制御工程の２つの工程に分けて行われる。よって、比較的光学状態の変化率が高い第１の極限光学状態から第２の極限光学状態方向への書き換え（即ち、第２制御工程）によって、書き換え画素の光学状態が第１の中間光学状態より第２の極限光学状態に近い光学状態となったとしても、比較的光学状態の変化率が低い第１の極限光学状態方向への書き換え（即ち、第３制御工程）によって光学状態の微調整が行える。従って、より第１の中間光学状態に近い光学状態を実現することができる。
【００２５】
以上説明したように、本発明に係る電気光学装置の制御方法によれば、画像の書き換えを第１制御工程、第２制御工程及び第３制御工程に分けて行なうことで、複数の画素間での光学状態のばらつきを防止しつつ、好適に所望の中間光学状態を実現させることができる。この結果、高品位な画像を表示させることが可能となる。
【００２６】
本発明に係る電気光学装置の制御方法の一態様では、前記第１の中間光学状態は、前記第２の極限光学状態よりも前記第１の極限光学状態に近い光学状態である。
【００２７】
この態様によれば、書き換え画素の光学状態は、第１制御工程において、第１の中間光学状態に近い側の光学状態とされる。よって、書き換え画素の光学状態が、第１制御工程において表示すべき中間光学状態から遠い側の光学状態とされる場合と比べると、効率的に画像の書き換えを行うことができる。
【００２８】
また本態様では特に、書き換え画素の光学状態が第１制御工程において第１の中間光学状態に近い側の光学状態とされるが故に、第２制御工程だけで（即ち、第３制御工程を行わずに）、書き換え画素の光学状態を第１の中間光学状態とすることが難しい。即ち、書き換え開始直後の光学状態の変化率が大きいため、１フレーム期間の電圧印加でも、書き換え画素の光学状態が第１の中間光学状態より第２の極限光学状態に近い光学状態となってしまうおそれがある。
【００２９】
しかるに本態様では、上述したように、第３制御工程によって書き換え画素の光学状態が第１の極限光学状態方向へ微調整される。よって、第１の中間光学状態を好適に実現させることが可能である。
【００３０】
本発明に係る電気光学装置の制御方法の他の態様では、前記第１の中間光学状態は、前記第１の極限光学状態よりも前記第２の極限光学状態に近い光学状態である。
【００３１】
この態様によれば、書き換え画素の光学状態は、第１制御工程において、第１の中間光学状態から遠い側の光学状態とされる。ここで特に、電気光学装置の表示部は、上述したように書き換え開始直後の光学状態の変化率が大きいという特性を有している。このため、書き換え画素の光学状態が第１制御工程において第１の中間光学状態に近い側の光学状態とされてしまうと、第２制御工程だけで（即ち、第３制御工程を行わずに）、書き換え画素の光学状態を第１の中間光学状態とすることが難しい。即ち、書き換え開始直後の光学状態の変化率が大きいため、１フレーム期間の電圧印加でも、書き換え画素の光学状態が第１の中間光学状態より第２の極限光学状態に近い光学状態となってしまうおそれがある。
【００３２】
しかるに本態様では、書き換え画素の光学状態が、第１制御工程において第１の中間光学状態から遠い側の光学状態とされる。よって、第３制御工程を行わずに第２制御工程のみで第１の中間光学状態を実現できる可能性が高まり、効率的に画像の書き換えを行なうことができる。
【００３３】
なお、第２制御工程のみでは第１の中間光学状態をできなかったとしても、第３制御工程によって書き換え画素の光学状態が第１の極限光学状態方向へ微調整される。よって、第１の中間光学状態を確実に実現させることが可能である。
【００３４】
本発明に係る電気光学装置の制御装置は上記課題を解決するために、互いに交差する複数の走査線及び複数のデータ線の交差に対応して設けられ、互いに対向する画素電極及び対向電極間に電気光学物質を夫々有する複数の画素を有し、前記画素は、第１の極限光学状態、第２の極限光学状態、並びに前記第１の極限光学状態及び前記第２の極限光学状態間の複数の中間光学状態をとり得る表示部と、該表示部に画像データに応じた画像を表示させるために、前記複数の画素の各々の前記画素電極に前記画像データに応じた電圧パルスを複数のフレーム期間において供給する駆動部とを備えた電気光学装置を制御する制御装置であって、前記画素を第１の中間光学状態に移行させる際に、前記画素電極に対して、前記第１の極限光学状態に至るまで、第１の電圧パルスを供給する第１制御手段と、前記第１制御手段によって前記第１の電圧パルスが供給された後、前記画素電極に対して、前記第１の中間光学状態又は前記第１の中間光学状態よりも前記第２の極限光学状態に近い中間光学状態に至るまで、前記第１の電圧パルスと逆極性の第２の電圧パルスを供給する第２制御手段と、前記第２制御手段によって前記第２の電圧パルスが供給された後、前記画素が前記第１の中間光学状態よりも前記第２の極限光学状態に近い中間光学状態である場合、前記画素電極に対して、前記第１の中間光学状態に至るまで、前記第１の電圧パルスと同極性の第３のパルスを供給する第３制御手段とを備える。
【００３５】
本発明に係る電気光学装置の制御装置によれば、前述した本発明に係る電気光学装置の制御方法と同様に、電気光学装置において、複数の画素間での光学状態のばらつきを防止しつつ、好適に所望の中間光学状態を実現させることができる。この結果、高品位な画像を表示させることが可能となる。
【００３６】
なお、本発明に係る電気光学装置の制御装置においても、前述した本発明に係る電気光学装置の制御方法における各種態様と同様の各種態様を採ることが可能である。
【００３７】
本発明に係る電気光学装置は上記課題を解決するために、前述した本発明に係る電気光学装置の制御装置（但し、その各種態様も含む）を備える。
【００３８】
本発明に係る電気光学装置によれば、前述した本発明に係る電気光学装置の制御装置を備えるので、複数の画素間での光学状態のばらつきを防止しつつ、好適に所望の中間光学状態を実現させることができる。この結果、高品位な画像を表示することが可能となる。
【００３９】
本発明に係る電子機器は上記課題を解決するために、前述した本発明に係る電気光学装置（但し、その各種態様も含む）を備える。
【００４０】
本発明に係る電子機器によれば、前述した本発明に係る電気光学装置を備えるので、高品質な画像を表示することが可能な、例えば、腕時計、電子ペーパー、電子ノート、携帯電話、携帯用オーディオ機器などの各種電子機器を実現できる。
【００４１】
本発明の作用及び他の利得は次に説明する発明を実施するための形態から明らかにされる。
【図面の簡単な説明】
【００４２】
【図１】実施形態に係る電気泳動表示装置の全体構成を示すブロック図である。
【図２】実施形態に係る電気泳動表示装置の表示部周辺の構成を示すブロック図である。
【図３】実施形態に係る画素の電気的な構成を示す等価回路図である。
【図４】実施形態に係る電気泳動表示装置の表示部の部分断面図である。
【図５】実施形態に係る電気泳動表示装置の制御方法を示すフローチャートである。
【図６】白から黒へ書き換える際の階調の変化を示すグラフである。
【図７】黒から白へ書き換える際の階調の変化を示すグラフである。
【図８】レベル４の中間階調を表示させる場合の電圧印加方法を示す概念図である。
【図９】レベル６の中間階調をフェーズＡ及びフェーズＢのみで表示させようとする場合の電圧印加方法を示す概念図である。
【図１０】フェーズＣを用いてレベル６の中間階調を表示させる場合の電圧印加方法を示す概念図である。
【図１１】レベル１の中間階調を表示させる場合の電圧印加方法を示す概念図である。
【図１２】レベル２の中間階調を表示させる場合の電圧印加方法を示す概念図である。
【図１３】レベル３の中間階調を表示させる場合の電圧印加方法を示す概念図である。
【図１４】レベル５の中間階調を表示させる場合の電圧印加方法を示す概念図である。
【図１５】電気光学装置を適用した電子機器の一例たる電子ペーパーの構成を示す斜視図である。
【図１６】電気光学装置を適用した電子機器の一例たる電子ノートの構成を示す斜視図である。
【発明を実施するための形態】
【００４３】
以下では、本発明の実施形態について図を参照しつつ説明する。
【００４４】
＜電気光学装置＞
本実施形態に係る電気光学装置について、図１から図１４を参照して説明する。なお、以下の実施形態では、本発明に係る電気光学装置の一例として、アクティブマトリクス駆動方式の電気泳動表示装置を挙げて説明する。
【００４５】
先ず、本実施形態に係る電気泳動表示装置の全体構成について、図１から図３を参照して説明する。
【００４６】
図１は、本実施形態に係る電気泳動表示装置の全体構成を示すブロック図である。
【００４７】
図１において、本実施形態に係る電気泳動表示装置１は、表示部３、ＲＯＭ４、ＲＡＭ５、コントローラ１０及びＣＰＵ１００を備えて構成されている。
【００４８】
表示部３は、メモリ性を有する表示素子を有しており、書き込みを行なわない状態においても表示状態が維持される表示デバイスである。なお、メモリ性とは、電圧の印加によって所定の表示状態になると、電圧が印加されなくなっても、その表示状態を維持しようとする性質をいうものであり、双安定性ともいう。表示部の具体的な構成については後に詳述する。
【００４９】
ＲＯＭ４は、電気泳動表示装置の動作時に用いるデータを記憶する手段である。ＲＯＭ４には、例えば、各画素において目標とする表示状態を実現するための駆動電圧の波形テーブルが記憶されている。駆動電圧の波形テーブルについては後に詳述する。なお、ＲＯＭ４は、ＲＡＭ等の書き換え可能な記憶手段でも代用することが可能である。
【００５０】
ＲＡＭ５は、上述したＲＯＭ４と同様に、電気泳動表示装置の動作時に用いるデータを記憶する手段である。ＲＡＭ５は、例えば書き換え動作前の表示状態を示すデータや書き換え後の表示状態を示すデータを記憶する。またＲＡＭ５は、例えばフレームバッファとして機能するＶＲＡＭ等を含んでおり、ＣＰＵ１００の制御に基づいて、フレーム画像データを記憶する。
【００５１】
コントローラ１０は、上述したＲＯＭ４やＲＡＭ５に記憶されたデータを用いて表示部３の表示動作を制御する。コントローラ１０は、表示部３に表示させる画像を示す画像信号、その他各種信号（例えば、クロック信号等）を出力することによって表示部３を制御する。
【００５２】
ＣＰＵ１００は、電気泳動表示装置１の動作を制御するプロセッサであり、予め記憶されたプログラムを実行することにより、データの読み出しや書き込みを行う。ＣＰＵ１００は、例えば画像を書き換える際に、表示部３に表示させる画像データをＶＲＡＭに記憶させる。
【００５３】
図２は、本実施形態に係る電気泳動表示装置の表示部周辺の構成を示すブロック図である。
【００５４】
図２において、本実施形態に係る電気泳動表示装置１は、アクティブマトリクス駆動方式の電気泳動表示装置であり、表示部３と、コントローラ１０と、走査線駆動回路６０と、データ線駆動回路７０と、共通電位供給回路２２０とを備えている。
【００５５】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００５６】
コントローラ１０は、走査線駆動回路６０、データ線駆動回路７０及び共通電位供給回路２２０の動作を制御する。コントローラ１０は、例えば、クロック信号、スタートパルス等のタイミング信号を各回路に供給する。
【００５７】
走査線駆動回路６０は、コントローラ１０による制御下で、所定のフレーム期間中に、走査線Ｙ１、Ｙ２、…、Ｙｍの各々に走査信号をパルス的に順次供給する。
【００５８】
データ線駆動回路７０は、コントローラ１０による制御下で、データ線Ｘ１、Ｘ２、…、Ｘｎにデータ電位を供給する。データ電位は、基準電位ＧＮＤ（例えば０ボルト）、高電位ＶＳＨ（例えば＋１５ボルト）又は低電位−ＶＳＨ（例えば−１５ボルト）のいずれかの電位をとる。
【００５９】
共通電位供給回路２２０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。例えば、共通電位Ｖｃｏｍが、フィードスルーによる画素電極２１の電位の変動を考慮して、画素電極２１に供給される基準電位ＧＮＤとは異なる値とされていてもよく、この場合であっても、本明細書では、共通電位Ｖｃｏｍと基準電位ＧＮＤとが同一であるとみなす。
【００６０】
ここで、フィードスルーとは、走査線４０に走査信号が供給され、データ線５０を介して画素電極２１に電位が供給された後に、走査線４０への走査信号の供給が終了した際（例えば走査線４０の電位が低下した際）、画素電極２１の電位が、走査線４０との間の寄生容量に起因して変動する（例えば走査線４０の電位低下とともに低下する）現象をいう。共通電位Ｖｃｏｍは、フィードスルーにより画素電極２１の電位が低下することを予め想定して、画素電極２１に供給される基準電位ＧＮＤより僅かに低い値とされることがあるが、この場合も共通電位Ｖｃｏｍと基準電位ＧＮＤとが同電位であるとみなす。
【００６１】
なお、コントローラ１０、走査線駆動回路６０、データ線駆動回路７０及び共通電位供給回路２２０には、各種の信号が入出力されるが、本実施形態と特に関係のないものについては説明を省略する。
【００６２】
図３は、本実施形態に係る画素２０の電気的な構成を示す等価回路図である。
【００６３】
図３において、画素２０は、画素スイッチング用トランジスター２４と、画素電極２１と、対向電極２２と、電気泳動素子２３と、保持容量２７とを備えている。
【００６４】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図２参照）からデータ線５０を介して供給されるデータ電位を、走査線駆動回路６０（図２参照）から走査線４０を介してパルス的に供給される走査信号に応じたタイミングで、画素電極２１及び保持容量２７に出力する。
【００６５】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００６６】
対向電極２２は、共通電位Ｖｃｏｍが供給される共通電位線９３に電気的に接続されている。
【００６７】
電気泳動素子２３は、電気泳動粒子をそれぞれ含んでなる複数のマイクロカプセルから構成されている。
【００６８】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００６９】
次に、本実施形態に係る電気泳動表示装置の表示部の具体的な構成について、図４を参照して説明する。
【００７０】
図４は、本実施形態に係る電気泳動表示装置１の表示部３の部分断面図である。
【００７１】
図４において、表示部３は、素子基板２８と対向基板２９との間に電気泳動素子２３が挟持される構成となっている。なお、本実施形態では、対向基板２９側に画像を表示することを前提として説明する。
【００７２】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００７３】
対向基板２９は、例えばガラスやプラスチック等からなる透明な基板である。対向基板２９における素子基板２８との対向面上には、対向電極２２が複数の画素電極２１と対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００７４】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００７５】
マイクロカプセル８０は、画素電極２１及び対向電極２２間に挟持され、１つの画素２０内に（言い換えれば、１つの画素電極２１に対して）１つ又は複数配置されている。
【００７６】
マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００７７】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００７８】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００７９】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００８０】
黒色粒子８３は、例えば、アニリンブラック、カーボンブラック等の黒色顔料からなる粒子（高分子或いはコロイド）であり、例えば正に帯電されている。
【００８１】
このため、白色粒子８２及び黒色粒子８３は、画素電極２１と対向電極２２との間の電位差によって発生する電場によって、分散媒８１中を移動することができる。
【００８２】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００８３】
図４において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【００８４】
なお、白色粒子８２、黒色粒子８３に用いる顔料を、例えば赤色、緑色、青色等の顔料に代えることによって、赤色、緑色、青色等を表示することができる。
【００８５】
次に、本実施形態に係る電気泳動表示装置における画像書き換え時の動作について、図５を参照して説明する。以下では、説明の便宜上、書き換え対象となる１つの画素に着目して書き換え時の動作を説明する。なお、以下に示す各処理は、典型的にはコントローラ１０において行われるものであるが、コントローラ１０以外で行われるようにしても構わない。
【００８６】
図５は、本実施形態に係る電気泳動表示装置の制御方法を示すフローチャートである。
【００８７】
図５において、本実施形態に係る電気泳動表示装置の動作時には、先ず画像を書き換えるように指示が出されると（ステップＳ０１：ＹＥＳ）、書き換え後の階調（以下、適宜「目標階調」と称する）が中間階調であるか否かが判定される（ステップＳ０２）。なお、ここでの階調は、本発明の「光学状態」の一例であり、例えば明度や反射率と言い換えることもできる。また、目標階調は、本発明の「第１の光学状態」の一例である。
【００８８】
ここで、目標階調が中間階調でないと判定されると（ステップＳ０２：ＮＯ）、階調を白又は黒とするためのフェーズＸが設定される（ステップＳ０３）。なお、フェーズＸでの処理は一般的なものであるため、ここでの詳細な説明は省略する。
【００８９】
一方、目標階調が中間階調であると判定されると（ステップＳ０２：ＹＥＳ）、書き換え対象の画素において、現在（即ち、書き換え前に）白が表示されているか否かが判定される（ステップＳ０４）。
【００９０】
書き換え対象の画素において白が表示されていないと判定されると（ステップＳ０４：ＮＯ）、画素で表示される階調を白とするためのフェーズＡが設定される（ステップＳ０５）。フェーズＡは、白に対応する駆動電圧−ＶＳＨを、それまで表示されていた階調が白となるまでに長く印加する期間として設定される。なお、書き換え対象の画素において白が表示されていると判定された場合には（ステップＳ０４：ＹＥＳ）、フェーズＡを設定するステップＳ０５は省略される。
【００９１】
フェーズＡによれば、目標階調である中間階調を実現する前に一旦白を表示させることで、各画素でばらつきのある白色粒子８２及び黒色粒子８３の位置を互いに揃えることが可能となる。よって、中間階調を表示する際に、各画素における粒子の位置にばらつきが生じることに起因して、表示される階調にもばらつきが生じてしまうことを防止することができる。フェーズＡは、本発明の「第１制御工程」の一例である。
【００９２】
続いて、フェーズＡに続く期間であるフェーズＢにおいて、目標階調を実現可能であるか否かが判定される（ステップＳ０６）。フェーズＢにおいて目標階調を実現可能であると判定された場合には（ステップＳ０７：ＹＥＳ）、目標階調を実現するためのフェーズＢが設定される（ステップＳ０７）。
【００９３】
なお、フェーズＢは、書き換え対象の画素に対して黒色に対応する駆動電圧ＶＳＨ（即ち、フェーズＡと逆極性の電位）を印加する期間であり、フェーズＢを比較的短い期間（即ち、表示階調が黒に達しない程度の期間）にすることで、白と黒との中間階調である灰色を実現可能である。ここで特に、本実施形態に係る電気泳動表示装置１は、フェーズＢの期間を調整することにより、複数の中間階調を表示可能とされている。即ち、白に近い淡い灰色や黒に近い濃い灰色等を表示可能とされている。フェーズＢは、本発明の「第２制御工程」の一例である。
【００９４】
ここで本願発明者の研究するところによれば、白色から中間階調へと階調を変化させる場合、電気泳動素子２３の特性に起因して、フェーズＢだけでは目標階調を実現できない場合が存在し得ることが判明している。以下では、フェーズＢだけで実現できる階調及びフェーズＢだけでは実現できない階調について、図６から図９を参照して夫々説明する。
【００９５】
なお、以下では、本実施形態に係る電気泳動表示装置１が８段階の階調を表示可能な場合を例に挙げて説明を進める。ここでは、黒に対応する階調をレベル０、白に対応する階調をレベル７とし、黒と白との中間階調を夫々レベル１からレベル６で示す。
【００９６】
図６は、白から黒へ書き換える際の階調の変化を示すグラフである。
【００９７】
図６において、白から黒へと画像を書き換える場合、電圧を印加する期間に対する階調の変化は、書き換え開始直後は大きいが、反対階調に近づくにつれて小さくなっていく傾向にある。即ち、白に近い階調である時点では大きく黒方向へと階調が変化するが、黒に近づくにつれて階調は変化し難くなっていく。
【００９８】
図７は、黒から白へ書き換える際の階調の変化を示すグラフである。
【００９９】
図７において、黒から白へと画像を書き換える場合も同様に、電圧を印加する期間に対する階調の変化は、書き換え開始直後は大きいが、反対階調に近づくにつれて小さくなっていく傾向にある。即ち、黒に近い階調である時点では大きく白方向へと階調が変化するが、白に近づくにつれて階調は変化し難くなっていく。
【０１００】
図８は、レベル４の中間階調を表示させる場合の電圧印加方法を示す概念図である。
【０１０１】
図８において、書き換え前の階調がレベル０（即ち、黒色）であり、目標階調がレベル４の中間階調であるとする。この場合、書き換え対象の画素には、先ずフェーズＡにおいて、白に対応する駆動電圧−ＶＳＨが１５フレーム印加される。これにより、表示される階調はレベル７（即ち、白色）となる。
【０１０２】
続いて、フェーズＢにおいて、黒に対応する駆動電圧ＶＳＨが１フレーム印加される。これにより、表示される階調はレベル４となり、目標階調が実現される。
【０１０３】
図９は、レベル６の中間階調をフェーズＡ及びフェーズＢのみで表示させようとする場合の電圧印加方法を示す概念図である。
【０１０４】
図９において、書き換え前の階調がレベル０（即ち、黒色）であり、目標階調がレベル６の中間階調であるとする。この場合、書き換え対象の画素には、先ずフェーズＡにおいて、白に対応する駆動電圧−ＶＳＨが１５フレーム印加される。これにより、表示される階調はレベル７（即ち、白色）となる。
【０１０５】
続いて、フェーズＢにおいて、黒に対応する駆動電圧ＶＳＨが１フレーム印加される。しかしながら、フェーズＢ後の表示階調は図８の場合と同様にレベル４となり、レベル６の目標階調は実現されない。即ち、電圧を印加する期間の最小単位である１フレームだけＶＳＨを印加した場合であっても、電気泳動素子２３の特性上、階調が大きく変化してしまい目標階調を実現することができない。
【０１０６】
上述したように、レベル４のような比較的白から離れた中間階調はフェーズＢのみでも実現可能であるが、レベル６のような比較的白に近い中間階調はフェーズＢのみでは実現することが難しい場合がある。
【０１０７】
図５に戻り、上述した問題に対し、本実施形態に係る電気泳動表示装置１では、フェーズＢだけでは目標階調を実現できないと判定された場合に（ステップＳ０７：ＮＯ）、目標階調より黒に近い階調を実現するためのフェーズＢが設定され（ステップＳ０８）、更にフェーズＢ後の階調を目標階調とするためのフェーズＣが設定される（ステップＳ０９）。
【０１０８】
ここで、フェーズＣは、本発明の「第３制御工程」の一例であり、フェーズＢでの電圧印加によって目標階調より黒に近くなった階調を目標階調へと近づけるために設定される期間である。フェーズＣでは、書き換え対象画素に対して白に対応する駆動電圧ＶＳＨ（即ち、フェーズＡと同極性の電圧）が印加される。以下では、このフェーズＣを用いた目標階調の実現方法について、図１０を参照して説明する。
【０１０９】
図１０は、フェーズＣを用いてレベル６の中間階調を表示させる場合の電圧印加方法を示す概念図である。
【０１１０】
図１０において、フェーズＣは、フェーズＢによってレベル４となった階調（即ち、目標階調より黒に近い階調）を、目標階調であるレベル６とする期間として設定されている。フェーズＣでは、白に対応する駆動電圧ＶＳＨが印加されるため、階調は白に近づけられる。この際、階調の変化率は、図７でも示したように、比較的変化率の大きいフェーズＢと比べて小さくなる。即ち、フェーズＣでは、フェーズＢと比べて階調が緩やかに変化する。よって、フェーズＣにおいて駆動電圧ＶＳＨを４フレーム印加すれば、レベル４であった中間階調を、目標階調であるレベル６とすることができる。
【０１１１】
以上のように、フェーズＣを用いることで、フェーズＢだけでは実現し得ない階調を好適に実現することが可能となる。
【０１１２】
図５に戻り、各フェーズが設定された後は、実際に各フェーズで設定されたフレーム分だけ駆動電圧が出力され、書き換え画素における画像の書き換え処理が実行される（ステップＳ１０）。
【０１１３】
なお、上述した各フェーズを設定する処理は、各階調に対応する駆動電圧の波形（例えば、図１０で示すような波形）を予めテーブル等として記憶しておくことで省略することもできる。具体的には、書き換え前の階調と目標階調との組み合わせに対してそれぞれ出力すべき駆動電圧の波形を設定しておけば、対応する波形を選択するだけで画像の書き換え処理を実行することができる。
【０１１４】
ちなみに、既に例としてあげたレベル４及びレベル６以外の階調は、図１１から図１４１２に示す波形を出力することで夫々実現可能である。
【０１１５】
図１１から図１４は夫々、レベル１、２、３及び５の中間階調を表示させる場合の電圧印加方法を示す概念図である。
【０１１６】
図１１に示すように、レベル０である黒色からレベル１の中間階調への書き換えは、フェーズＡにおいて駆動電圧−ＶＳＨを１５フレーム印加した後、フェーズＢにおいて駆動電圧ＶＳＨを６フレーム印加することで実現される。
【０１１７】
図１２に示すように、レベル０である黒色からレベル２の中間階調への書き換えは、フェーズＡにおいて駆動電圧−ＶＳＨを１５フレーム印加した後、フェーズＢにおいて駆動電圧ＶＳＨを４フレーム印加することで実現される。
【０１１８】
図１３に示すように、レベル０である黒色からレベル３の中間階調への書き換えは、フェーズＡにおいて駆動電圧−ＶＳＨを１５フレーム印加した後、フェーズＢにおいて駆動電圧ＶＳＨを２フレーム印加することで実現される。
【０１１９】
図１４に示すように、レベル０である黒色からレベル５の中間階調への書き換えは、フェーズＡにおいて駆動電圧−ＶＳＨを１５フレーム印加した後、フェーズＢにおいて駆動電圧ＶＳＨを２フレーム印加し、更にフェーズＣにおいて駆動電圧−ＶＳＨを２フレーム印加することで実現される。
【０１２０】
以上説明したように、本実施形態に係る電気泳動表示装置によれば、複数の画素間での階調のばらつきを防止しつつ、好適に所望の中間階調を表示させることができる。従って、高品質な画像を表示することが可能となる。
【０１２１】
なお、上記実施形態では、フェーズＡにおいて階調を白とする場合について説明したが、フェーズＡにおいて階調を黒にするようにしても構わない。即ち、中間階調を表示させる場合には、先ずフェーズＡにおいて黒へと階調が変化された後、フェーズＢやフェーズＣによって目標階調が実現されてもよい。この場合、フェーズＡでは黒に対応する駆動電圧ＶＳＨが印加され、フェーズＢでは白に対応する駆動電圧−ＶＳＨが印加され、フェーズＣでは黒に対応する駆動電圧ＶＳＨが印加される。
【０１２２】
加えて、フェーズＡにおいて実現される階調を白及び黒のいずれにするか選択するようにしてもよい。即ち、フェーズＡにおいて実現される階調は白又は黒に固定されるのではなく、書き換え前の階調や目標階調に応じて白又は黒のいずれかが適宜選択されるようにしてもよい。このようにすれば、より効率的に中間階調を表示させることが可能となる。
【０１２３】
また、上記実施形態では、白色粒子８２が負に帯電し、黒色粒子８３が正に帯電している例で説明したが、白色粒子８２が正に帯電し、黒色粒子８３が負に帯電していてもよい。また、電気泳動素子２３は、マイクロカプセル８０を有する構成に限られず、隔壁によって仕切られた空間に電気泳動分散媒と電気泳動粒子が含まれる構成であってもよい。また、電気光学装置として電気泳動素子２３を有するものを例に説明したが、これに限定する趣旨ではない。電気光学装置は、例えば電子粉流体を用いた電気光学装置であってもよい。
【０１２４】
＜電子機器＞
次に、前述した電気泳動表示装置を適用した電子機器について、図１５及び図１６を参照して説明する。以下では、前述した電気泳動表示装置を電子ペーパー及び電子ノートに適用した場合を例にとる。
【０１２５】
図１５は、電子ペーパー１４００の構成を示す斜視図である。
【０１２６】
図１５に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１２７】
図１６は、電子ノート１５００の構成を示す斜視図である。
【０１２８】
図１６に示すように、電子ノート１５００は、図１５で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１２９】
前述した電子ペーパー１４００及び電子ノート１５００は、前述した実施形態に係る電気泳動表示装置を備えるので、高品質な画像表示を行うことが可能である。
【０１３０】
なお、これらの他に、腕時計、携帯電話、携帯用オーディオ機器などの電子機器の表示部に、前述した本実施形態に係る電気泳動表示装置を適用することができる。
【０１３１】
本発明は、上述した実施形態に限られるものではなく、特許請求の範囲及び明細書全体から読み取れる発明の要旨或いは思想に反しない範囲で適宜変更可能であり、そのような変更を伴う電気光学装置の制御方法、電気光学装置の制御装置、電気光学装置、及び電子機器もまた本発明の技術的範囲に含まれるものである。
【符号の説明】
【０１３２】
３…表示部、４…ＲＯＭ、５…ＲＡＭ、１０…コントローラ、２０…画素、２１…画素電極、２２…対向電極、２４…画素スイッチング用トランジスター、２８…素子基板、２９…対向基板、４０…走査線、５０…データ線、６０…走査線駆動回路、７０…データ線駆動回路、８２…白色粒子、８３…黒色粒子、１００…ＣＰＵ、２２０…共通電位供給回路。
【図１】
2013171143.tif 000003
【図２】
2013171143.tif 000004
【図３】
2013171143.tif 000005
【図４】
2013171143.tif 000006
【図５】
2013171143.tif 000007
【図６】
2013171143.tif 000008
【図７】
2013171143.tif 000009
【図１５】
2013171143.tif 000010
【図１６】
2013171143.tif 000011
【図８】
2013171143.tif 000012
【図９】
2013171143.tif 000013
【図１０】
2013171143.tif 000014
【図１１】
2013171143.tif 000015
【図１２】
2013171143.tif 000016
【図１３】
2013171143.tif 000017
【図１４】
2013171143.tif 000018